(57)【要約】【課題】  不正行為により入賞装置の入賞口を覆う移動体に外力が加えられて入賞口が開けられ、賞球が不正に獲得されることが防止されるようにすることと、遊技者の興趣が高められるようにすることである。【解決手段】  閉状態で、アタッカー８の入賞口（開口１２）を閉塞する開閉扉１１の底壁部２６の周縁部から、手前壁部２７、左右の各壁部２８，２９及び奥壁部３０を立設させて箱状に形成すると共に、開閉扉１１の左右の各壁部２８，２９に所定間隔をおいて設けられた上下の各突起体３３，３４を、枠体１３の側壁部２２に略Ｊ字状に設けられた溝部２４に嵌入させ、電動モータ１５及び各歯車１６，１８，１９，２１を備えた駆動機構１１０によって、開閉扉１１を第一及び第二の各溝部２４ａ，２４ｂに案内させ、開閉扉１１の軌跡が直線状になった後、円弧状となるように変位させる。【選択図】  図３
2008142226.tif 000002
【特許請求の範囲】
【請求項１】
遊技機の遊技盤に固定され、その遊技盤上の遊技球を受け入れるための入賞口を有する遊技機用可変入賞装置であって、
前記入賞口を覆うことにより遊技球の入賞率が相対的に低くなる第一位置と、前記入賞口と交差する形でその外部の遊技領域と内部の入賞領域とに跨ることにより前記入賞率が相対的に高くなる第二位置との間で移動して前記入賞口の開口態様を変更する移動体と、
前記移動体に形成された第一移動部の移動を案内するための第一案内部と、前記第一移動部とは別に前記移動体に形成された第二移動部の移動を案内するための第二案内部とを含む案内体と、
前記移動体を前記第一位置と第二位置との間で移動させるために、前記第一移動部と第二移動部とのうち少なくともいずれか一方を駆動変位する移動体アクチュエータとを備え、
前記移動体アクチュエータの駆動変位により、前記第一移動部が前記第一案内部に沿う軌跡を描き、かつ前記第二移動部が前記第二案内部に沿う軌跡を描きながら、前記移動体は前記第一位置と第二位置との間で移動変位することを特徴とする遊技機用可変入賞装置。
【請求項２】
遊技機の遊技盤に固定され、その遊技盤上の遊技球を受け入れるための入賞口を有する遊技機用可変入賞装置であって、
前記入賞口を覆うことにより遊技球の入賞率が相対的に低くなる第一位置と、前記入賞口と交差する形でその外部の遊技領域と内部の入賞領域とに跨ることにより前記入賞率が相対的に高くなる第二位置との間で移動して前記入賞口の開口態様を変更する移動体と、
前記移動体に形成された第一移動部の移動を案内するための連続する曲線状形態又は直線状形態を有する第一案内部と、前記第一移動部とは別に前記移動体に形成された第二移動部の移動を案内するための連続する直線状形態又は曲線状形態を有する第二案内部とを含む案内体と、
前記移動体を前記第一位置と第二位置との間で移動させるために、前記第一移動部と第二移動部とのうち少なくともいずれか一方を駆動変位する移動体アクチュエータとを備え、
前記移動体アクチュエータの駆動変位により、前記第一移動部が前記第一案内部に沿う軌跡を描き、かつ前記第二移動部が前記第二案内部に沿う軌跡を描きながら、前記移動体は前記第一位置と第二位置との間で移動変位することを特徴とする遊技機用可変入賞装置。
【請求項３】
遊技機の遊技盤に固定され、その遊技盤上の遊技球を受け入れるための入賞口を有する遊技機用可変入賞装置であって、
前記入賞口を覆うことにより遊技球の入賞率が相対的に低くなる第一位置と、前記入賞口と交差する形でその外部の遊技領域と内部の入賞領域とに跨ることにより前記入賞率が相対的に高くなる第二位置との間で移動して前記入賞口の開口態様を変更する移動体と、
前記移動体に形成された第一移動部の移動を案内するために円弧状に連続する曲線状形態を有する第一案内部と、前記第一移動部とは別に前記移動体に形成された第二移動部の移動を案内するための連続する直線状形態を有する第二案内部とを含む案内体と、
前記移動体を前記第一位置と第二位置との間で移動させるために、少なくとも前記第一移動部を駆動変位する移動体アクチュエータとを備え、
前記移動体アクチュエータの駆動変位により前記第一移動部が前記第一案内部に沿って円弧状の軌跡を描き、かつ前記第二移動部が前記第二案内部に沿って追従移動して直線状の軌跡を描きながら、前記移動体は前記第一位置と第二位置との間で可逆的に移動変位することを特徴とする遊技機用可変入賞装置。
【請求項４】
前記移動体アクチュエータの駆動変位により、前記第一移動部が前記第一案内部に沿って、かつ前記第二移動部が前記第二案内部に沿って同時に移動し、それら第一移動部と第二移動部とが所定の間隔を保ちながら移動するに伴い、前記移動体が前記第一位置と第二位置との間で移動変位することを特徴とする請求項２又は３に記載の遊技機用可変入賞装置。
【請求項５】
前記入賞口は遊技球の流下方向に沿って開口するように配置される一方、
前記案内体は、前記第二案内部が遊技球の流下方向に沿って直線状に配置され、その流下方向下手側の端部にて、流下方向下手側に凸状形態をなす前記第一案内部の円弧状の一端部と接続されていることを特徴とする請求項２ないし４のいずれか１項に記載の遊技機用可変入賞装置。
【請求項６】
前記移動体アクチュエータは、前記移動体の第一移動部に形成された突出部を前記案内体の第一案内部に形成された円弧状の凹部に沿って回転駆動するための電動モータであり、
前記第一位置と第二位置とに対応して、前記電動モータによって回転変位される前記突出部の回転停止位置を、直接又は他部材の作動に関連付けて間接的に検出するための回転停止位置検出手段が配設されていることを特徴とする請求項２ないし５のいずれか１項に記載の遊技機用可変入賞装置。
【請求項７】
前記移動体は、前記入賞口を形成する枠体の内側に嵌め込まれてその入賞口を閉鎖可能な板状の閉鎖部を有し、
前記移動体が前記第一位置に変位したとき、前記閉鎖部が前記枠体の内周縁を塞ぐことによって前記入賞口を閉鎖することを特徴とする請求項２ないし６のいずれか１項に記載の遊技機用可変入賞装置。
【請求項８】
前記移動体が前記第一位置に変位したとき、前記閉鎖部の外表面と前記枠体の外表面とが面一状に配置されることを特徴とする請求項７に記載の遊技機用可変入賞装置。
【請求項９】
前記移動体は、前記閉鎖部の外周縁から立ち上がる壁部を有し、
前記移動体が前記第一位置に変位したとき、少なくとも前記第二案内部が覆われるように、前記壁部が前記枠体の入賞口と前記枠体の内側面との間に位置されることを特徴とする請求項７又は８に記載の遊技機用可変入賞装置。
【請求項１０】
前記枠体の内周縁と前記閉鎖部の外周縁とにはそれぞれ厚み方向において段差部が形成され、
前記移動体が前記第一位置に変位したとき、それぞれの段差部が組み合わせられることによって、前記閉鎖部の内周縁部と前記枠体の外周縁部とが厚み方向での重なりを生じる形態で、前記移動体は前記入賞口と重なり合うようにしてその入賞口を閉鎖することを特徴とする請求項７ないし９のいずれか１項に記載の遊技機用可変入賞装置。
【請求項１１】
請求項１ないし１０のいずれか１項に記載の遊技機用可変入賞装置が、前記遊技盤に固定配置されたことを特徴とする遊技機。
【発明の詳細な説明】
【技術分野】
【０００１】
本発明は、遊技機の遊技盤に固定され、その遊技盤上の遊技球を受け入れるための入賞口を有する遊技機用可変入賞装置、及びそれを用いた遊技機に関するものである。
【背景技術】
【０００２】
遊技機において、「アタッカー」（可変入賞装置）と称される大入賞口を備えた役物は、横長方形状の大入賞口が、対応する閉塞部材（開閉扉）により開閉可能に塞がれる構造となっている。通常、開閉扉は下縁両端部が役物の前面プレート等に例えばヒンジ止めされている。そして、ソレノイド等の駆動手段により、大入賞口を塞ぐ閉塞位置と、その閉塞位置から手前側（遊技者側）に倒伏して大入賞口を開く開放位置との間で変位される。
【０００３】
ここで、遊技機における可変入賞装置は、賞球の払出しに直接関与するために不正行為（通称、ゴト行為）の標的となり易い。例えば、遊技機内に針金等の異物を挿入し回動翼片を強制的に開放位置に移動する不正行為によって、大量の賞球が不正に獲得されるおそれがある。このような不正行為を防止するため、例えば特許文献１に開示される技術が存している。
【特許文献１】特開２００１−２２４７７１号公報
【発明の開示】
【発明が解決しようとする課題】
【０００４】
本発明は、上記した事情に鑑み、不正行為により入賞装置の入賞口を覆う移動体に外力が加えられて入賞口が開けられ、賞球が不正に獲得されることが防止されるようにすることと、遊技者の興趣が高められるようにすることを課題としている。
【課題を解決するための手段及び発明の効果】
【０００５】
上記課題を解決するための第一の発明は、遊技機の遊技盤に固定され、その遊技盤上の遊技球を受け入れるための入賞口を有する遊技機用可変入賞装置であって、前記入賞口を覆うことにより遊技球の入賞率が相対的に低くなる第一位置と、前記入賞口と交差する形でその外部の遊技領域と内部の入賞領域とに跨ることにより前記入賞率が相対的に高くなる第二位置との間で移動して前記入賞口の開口態様を変更する移動体と、前記移動体に形成された第一移動部の移動を案内するための第一案内部と、前記第一移動部とは別に前記移動体に形成された第二移動部の移動を案内するための第二案内部とを含む案内体と、前記移動体を前記第一位置と第二位置との間で移動させるために、前記第一移動部と第二移動部とのうち少なくともいずれか一方を駆動変位する移動体アクチュエータとを備え、前記移動体アクチュエータの駆動変位により、前記第一移動部が前記第一案内部に沿う軌跡を描き、かつ前記第二移動部が前記第二案内部に沿う軌跡を描きながら、前記移動体は前記第一位置と第二位置との間で移動変位することを特徴としている。
【０００６】
第一の発明に係る遊技機用可変入賞装置では、移動体は、第一移動部の描く軌跡と第二移動部の描く軌跡とが組み合わされた合成運動（複合的な運動）を伴って第一位置と第二位置との間を移動変位する。第一位置にある移動体を第二位置へ変位させるには、上記した複合軌跡（経路）を移動させなければならないため、不正行為を行うことが困難になり、不正行為を断念させて賞球の不正な獲得を防止できる。しかも、従来技術のように、移動体アクチュエータから移動体に至る伝動系に、不正を防止するための複雑な機構を組み込まなくても済むので、小型コンパクトかつ簡素な構成で不正を防止できる。そして、前記移動体が複合軌跡を描きながら移動されることにより、遊技者に視覚的な興趣がもたらされ、遊技に対する興趣が高められる。
【０００７】
上記課題を解決するための第二の発明は、遊技機の遊技盤に固定され、その遊技盤上の遊技球を受け入れるための入賞口を有する遊技機用可変入賞装置であって、前記入賞口を覆うことにより遊技球の入賞率が相対的に低くなる第一位置と、前記入賞口と交差する形でその外部の遊技領域と内部の入賞領域とに跨ることにより前記入賞率が相対的に高くなる第二位置との間で移動して前記入賞口の開口態様を変更する移動体と、前記移動体に形成された第一移動部の移動を案内するための連続する曲線状形態又は直線状形態を有する第一案内部と、前記第一移動部とは別に前記移動体に形成された第二移動部の移動を案内するための連続する直線状形態又は曲線状形態を有する第二案内部とを含む案内体と、前記移動体を前記第一位置と第二位置との間で移動させるために、前記第一移動部と第二移動部とのうち少なくともいずれか一方を駆動変位する移動体アクチュエータとを備え、前記移動体アクチュエータの駆動変位により、前記第一移動部が前記第一案内部に沿う軌跡を描き、かつ前記第二移動部が前記第二案内部に沿う軌跡を描きながら、前記移動体は前記第一位置と第二位置との間で移動変位することを特徴としている。
【０００８】
第二の発明は、上記した第一の発明を具体化させたものであり、第一の発明と同様な作用効果が奏される。特に、第一及び第二の各案内部が、連続する直線状形態又は曲線状形態を有しているため、移動体をスムーズに移動させることができる。
【０００９】
上記課題を解決するための第三の発明は、遊技機の遊技盤に固定され、その遊技盤上の遊技球を受け入れるための入賞口を有する遊技機用可変入賞装置であって、前記入賞口を覆うことにより遊技球の入賞率が相対的に低くなる第一位置と、前記入賞口と交差する形でその外部の遊技領域と内部の入賞領域とに跨ることにより前記入賞率が相対的に高くなる第二位置との間で移動して前記入賞口の開口態様を変更する移動体と、前記移動体に形成された第一移動部の移動を案内するために円弧状に連続する曲線状形態を有する第一案内部と、前記第一移動部とは別に前記移動体に形成された第二移動部の移動を案内するための連続する直線状形態を有する第二案内部とを含む案内体と、前記移動体を前記第一位置と第二位置との間で移動させるために、少なくとも前記第一移動部を駆動変位する移動体アクチュエータとを備え、前記移動体アクチュエータの駆動変位により前記第一移動部が前記第一案内部に沿って円弧状の軌跡を描き、かつ前記第二移動部が前記第二案内部に沿って追従移動して直線状の軌跡を描きながら、前記移動体は前記第一位置と第二位置との間で可逆的に移動変位することを特徴としている。
【００１０】
第三の発明は、上記した第二の発明を、更に具体化させたものであり、第二の発明と同様な作用効果が奏される。特に、第一案内部が円弧状に連続する曲線状形態を有し、前記第一案内部と連続する第二案内部が直線状形態を有しているため、前記移動体をスムーズに移動させることを阻害することなく、遊技者に視覚的な興趣をもたらすことができる。
【００１１】
具体的な構成として、前記移動体アクチュエータの駆動変位により、前記第一移動部が前記第一案内部に沿って、かつ前記第二移動部が前記第二案内部に沿って同時に移動し、それら第一移動部と第二移動部とが所定の間隔を保ちながら移動するに伴い、前記移動体が前記第一位置と第二位置との間で移動変位するようにできる。
【００１２】
第一移動部が第一案内部に沿って、かつ第二移動部が第二案内部に沿って同時に移動させるだけで済むため、小型コンパクトかつ簡素な構成で不正行為を防止できる。
【００１３】
また、前記入賞口は遊技球の流下方向に沿って開口するように配置される一方、前記案内体は、前記第二案内部が遊技球の流下方向に沿って直線状に配置され、その流下方向下手側の端部にて、流下方向下手側に凸状形態をなす前記第一案内部の円弧状の一端部と接続されているようにすることができる。
【００１４】
第一及び第二の各移動部が、対応する各案内部に沿って、かつそれらが所定の間隔を保ちながら移動されるため、移動体の軌跡が常に一定となると共に、その変位もスムーズになる。これにより、移動体アクチュエータの負担も小さくなり、小型化及び低コスト化が図られる。
【００１５】
更に、前記第二案内部が、前記第一案内部の一端部から接線状に延出するとともに、前記入賞口と平行状に配置されているようにすることができる。また、前記第二案内部が、前記第一案内部の一端部から接線状に延出するとともに、前記入賞口に対して交差状に配置されているようにすることができる。
【００１６】
第二案内部が、第一案内部に対して接線状に延出されているため、移動体がスムーズに移動される。
【００１７】
前記移動体が前記第一位置から第二位置に変位するために、前記第一移動部が前記第一案内部に沿って円弧状の軌跡を描きながら移動する際、その円弧状の軌跡を含む面内において、流下方向の移動速度成分が次第に小さくなるにつれて流下方向に直交する方向の移動速度成分が次第に大となり、前記移動体は、前記第一位置において流下方向に沿う状態から、前記第二位置において流下方向に交差する状態に姿勢変更するようにすることができる。
【００１８】
第一位置に配置された移動体と、第二位置に配置された移動体の姿勢変化が大きいため、遊技者に視覚的な興趣がもたらされる。また、移動中の移動体の速度も変位するため、更に興趣が高められる。
【００１９】
前記移動体が前記第一位置と第二位置との間を可逆的に移動変位するために、前記第一移動部が前記第一案内部に沿って描く円弧状の軌跡における中心角が、二直角よりも小に設定されているようにすることができる。更に、前記第二案内部の流下方向下手側端部と前記第一案内部の一端部との接続位置は、前記移動体が前記第一位置に変位したときに前記第一移動部が位置し、かつ前記移動体が前記第二位置に変位したときに前記第二移動部が位置する共通停止位置に設定され、前記第二位置において、前記第一移動部は前記共通停止位置に位置する第二移動部よりも流下方向下手側に位置する状態で停止させることができる。
【００２０】
第一移動部の軌跡の中心角を二直角よりも小さくすることにより、移動体が、第一位置と第二位置との間をスムーズに移動される。特に、前記中心角が二直角よりも小さいことが、第二位置（共通停止位置）側にもたらされることにより、前記第一移動部が思案点に配置されることが回避され、よりスムーズな移動をさせることができるようになって移動体アクチュエータの負担も軽減される。
【００２１】
前記移動体が前記第二位置から第一位置に変位する際の平均移動速度は、前記第一位置から第二位置に変位する際の平均移動速度よりも大きくなるように調整され、更に、前記移動体が前記第二位置から第一位置に変位するに要する所要時間は、前記第二位置から第一位置に変位するに要する所要時間よりも短くなるように調整されているようにできる。これにより、例えば、前記移動体が第二位置から第一位置に変位するときの移動速度を、第一位置から第二位置に変位するときの移動速度よりも速くしたり、逆に遅くしたりすることもできる。
【００２２】
第二位置に配置されている移動体を、迅速に第一位置に移動させることができる。
【００２３】
そして、前記移動体アクチュエータは、前記移動体の第一移動部に形成された突出部を前記案内体の第一案内部に形成された円弧状の凹部に沿って回転駆動するための電動モータであり、前記第一位置と第二位置とに対応して、前記電動モータによって回転変位される前記突出部の回転停止位置を、直接又は他部材の作動に関連付けて間接的に検出するための回転停止位置検出手段が配設されているようにすることができる。
【００２４】
移動体を移動させるためには、電動モータの始動トルクに抗して移動させなければならないため、不正行為がより確実に防止される。また、電動モータからの指令が発せられたときにのみ回転停止位置検出手段を作動させるように制御することにより、不正行為による移動体の移動を検知でき、この点からも不正行為を防止することができる。なお、上記した「凹部」は、貫通状態のもの、或いは非貫通状態のもののいずれであってもよい。
【００２５】
前記円弧状の凹部の中心に自身の軸線を一致させる形で、前記案内体に取り付けられた中心軸と、前記凹部の中心から半径方向に延び、先端部で前記第一移動部の突出部を保持することにより、その突出部の前記凹部内での移動を許容しつつ、それら凹部の中心と突出部との離間距離を回転半径として回転可能な回転アームと、前記電動モータの駆動回転を前記回転アームの回転作動に伝達する回転伝動機構とを有し、前記電動モータの駆動回転は前記回転伝動機構を介して前記回転アームに伝達され、その回転アームは前記中心軸の軸線周りに回転して前記突出部を前記円弧状の凹部に沿って移動させるようにすることができる。
【００２６】
電動モータの駆動回転を回転伝動機構及び回転アームを介して、移動体の突出部に効率よく伝達することができ、移動体に上記した複合的な運動を容易に付与することができる。
【００２７】
前記回動体伝動機構が歯車伝動機構で構成されるとともに、前記回転アームは、前記中心軸の軸線周りに回転する歯車と一体成形されているようにすることができる。
【００２８】
遊技球が、移動体の内部に設けられる入賞領域に入賞する動作を阻害することなく、電動モータから回転アームに至る伝動系を簡素化・小型化できる。
【００２９】
そして、移動体の具体的態様として、前記移動体は、前記入賞口を形成する枠体の内側に嵌め込まれてその入賞口を閉鎖可能な板状の閉鎖部を有し、前記移動体が前記第一位置に変位したとき、前記閉鎖部が前記枠体の内周縁を塞ぐことによって前記入賞口を閉鎖させるようにすることができる。
【００３０】
第一位置に変位した移動体により、入賞口を形成する枠体の周縁部が塞がれるため、枠体と移動体との間の隙間に異物を挿入することが困難になり、不正行為が防止される。
【００３１】
前記移動体が前記第一位置に変位したとき、前記閉鎖部の外表面と前記枠体の外表面とが面一状に配置されるようにすることができる。
【００３２】
第一位置に配置された移動体に、異物を引っ掛けられることがなくなり、不正行為が防止される。
【００３３】
前記移動体は、前記閉鎖部の外周縁から立ち上がる壁部を有し、前記移動体が前記第一位置に変位したとき、少なくとも前記第二案内部が覆われるように、前記壁部が前記枠体の入賞口と前記枠体の内側面との間に位置されるようにすることができる。
【００３４】
第一位置に変位した移動体を移動させるためには、移動体の壁部を超えて異物を引っ掛けなければならず、不正行為を行うことが困難になる。また、移動体が箱状になっているため、その剛性が高められて変形しにくくなると共に、入賞する遊技球の球噛み・球こぼれが防止される。
【００３５】
そして、前記枠体の内周縁と前記閉鎖部の外周縁とにはそれぞれ厚み方向において段差部が形成され、前記移動体が前記第一位置に変位したとき、それぞれの段差部が組み合わせられることによって、前記閉鎖部の内周縁部と前記枠体の外周縁部とが厚み方向での重なりを生じる形態で、前記移動体は前記入賞口と重なり合うようにしてその入賞口を閉鎖するようにすることができる。
【００３６】
第一位置に変位した移動体と枠体の外周縁部とが重なり合っていて、それらの隙間から異物を挿入することが極めて困難になるため、不正行為がより確実に防止される。
【００３７】
前記移動体が前記第一位置に変位したとき、前記閉鎖部の段差部が前記入賞領域側に位置し、前記枠体の段差部が前記遊技領域側に位置するように互いの段差部が組み合わせられるようにすることができる。
【００３８】
枠体の段差部が外部側である遊技領域側に位置し、板状部の段差部が内部側である入賞領域側に位置するので、特に針金等の異物を移動体の板状部外周縁に差し込んで移動体を開放しようとする不正行為が実行される場合に、針金等が外部側（遊技領域側）から枠体及び板状部を挿通して内部側（入賞領域側）に到達しにくくなる。
【００３９】
上記課題を解決するための第四の発明は、上記したいずれかの遊技機用可変入賞装置が、前記遊技盤に固定配置されたことを特徴とする遊技機である。
【００４０】
本発明に係る遊技機では、不正行為による賞球の獲得が防止されると共に、移動体が、第一移動部の描く軌跡と第二移動部の描く軌跡とが組み合わされた合成運動（複合的な運動）を伴って、第一位置と第二位置との間を移動変位する。これにより、遊技者に視覚的な興趣がもたらされ、遊技に対する興趣が高められる。
【発明を実施するための最良の形態】
【００４１】
本発明の実施例を説明する。図１は本実施例のパチンコ機１００の正面図、図２は開閉扉１１の閉状態におけるアタッカー８の斜視図、図３は同じく開状態におけるアタッカー８の斜視図、図４は図３の状態のアタッカー８の側面図、図５は同じく背面図である。
【実施例１】
【００４２】
最初に、遊技機（パチンコ機１００）の全体について説明する。図１に示されるように、パチンコ機１００の遊技盤１の前面には、ほぼ左半周が内外２本の発射レール２によって区画され、全体としてほぼ円形の遊技領域３が形成されている。この遊技領域３のほぼ中央部には、遊技中に行われる第一の当否抽選（特別図柄抽選）の結果等を演出表示及び確定表示するための液晶表示部４が設置されている。液晶表示部４の下方には、狭く開口し、遊技球Ｂ（図３参照）の入賞を困難にする閉塞状態（図１に示される状態）と、広く開口し、遊技球Ｂの入賞を容易にする開放状態（図示せず）とに開口態様が変化するスタートチャッカー５が配置されている。このスタートチャッカー５は、遊技球Ｂを入賞させることにより、第一の当否抽選を開始させるという機能をも有している。スタートチャッカー５の下方には、第一の当否抽選の結果が大当たりのときに、その開閉扉６ａを開放して、規定数の遊技球Ｂを入賞し易くするアタッカー６（大入賞口）が配置されている。そして、本実施例のパチンコ機１００は、「ダブルアタッカー」と称されていて、遊技領域３の右側の下部には、遊技盤１と別体の遊技台板７が取り付けられていて、この遊技台板７に別のアタッカー８が配置されている。なお、図１において、９は、第二の当否抽選（普通図柄抽選）を開始させるためのスルーゲート９である。
【００４３】
本実施例のアタッカー８は、大入賞口であるアタッカー６と同様に、開閉扉１１が狭く開口し、遊技球Ｂの入賞率が相対的に低くなる第一位置（図２に示される閉状態）と、同じく広く開口し、遊技球Ｂの入賞率が相対的に高くなる第二位置（図３に示される開状態）とに開口態様が変化する。アタッカー８は、開閉扉１１を開閉させるための駆動機構１１０を備えている。駆動機構１１０について説明する。図２ないし図５に示されるように、遊技台板７には方形状の開口１２が設けられている。遊技台板７の背面部（裏面部）で、開口１２の周縁部には、下側が開口した枠部１３が固着されている。この枠部１３から背面側に向かって張り出されたモータブラケット１４には、モータ軸１５ａの軸線を、パチンコ機１００の左右方向に沿わせた形態で電動モータ１５（例えば、ステッピングモータ）が取り付けられている。電動モータ１５のモータ軸１５ａには、第一歯車１６が嵌合されている。また、モータブラケット１４には、電動モータ１５のモータ軸１５ａの軸線と平行に取り付けられた連結軸１７が、回動自在に支持されている。そして、第一歯車１６は、連結軸１７のほぼ中央部に嵌合された第二歯車１８（図４参照）と噛み合わされている。連結軸１７の両端部には、各第三歯車１９が嵌合されていて、各第三歯車１９はそれぞれ第四歯車２１と噛み合わされている。各第四歯車２１は、枠部１３の両側壁部２２からそれらの軸線を左右方向に沿わせて突出された各支持軸２３に回動自在に嵌合されている。電動モータ１５を作動させて、そのモータ軸１５ａを所定方向に回動させると、第一ないし第三の各歯車１６，１８，１９を介して第四の各歯車２１が回動される。なお、本明細書では、遊技台板７と枠部１３とを総称して、「枠体」と記載している。
【００４４】
枠部１３における一対の側壁部２２には、各溝部２４が設けられている。一対の側壁部２２の構成は、対称であることを除いて同一であるため、本明細書では一方側（アタッカー８の背面視における右側、即ち、図５の図面視における右側）の側壁部２２についてのみ説明する。図２ないし図４に示されるように、側壁部２２には、略Ｊ字状の溝部２４が設けられている。本実施例の溝部２４は、側壁部２２の下部で、遊技球Ｂの流下方向下手側に凸状形態をなすように円弧状に設けられた第一溝部２４ａと、第一溝部２４ａの手前側（遊技者側）の端部から連続状態で、高さ方向に沿って（即ち、遊技台板７と平行に）延設された直線状の第二溝部２４ｂとを備えている。第一及び第二の各溝部２４ａ，２４ｂは、それらの接続部において接線状に接続されている。第一溝部２４ａの奥側の端部及び第二溝部２４ｂの両端部は、いずれも円弧状である。そして、第一溝部２４ａの溝幅は、第二溝部２４ｂの溝幅よりも狭い。このため、第一溝部２４ａの手前側の端部は、第二溝部２４ｂの下端部における円弧の一部と接続されている。なお、本実施例の第一及び第二の各溝部２４ａ，２４ｂは、いずれも貫通状態のものであるが、いずれか又は双方が非貫通状態のもの（凹部）であってもよい。
【００４５】
第四歯車２１の内側面部（側壁部２２と対向配置される部分）には、舌板状のアーム部２１ａが設けられていて、その端部に円筒状の円筒突起体２５が設けられている。円筒突起体２５が、アーム部２１ａを介して設けられていることにより、円筒突起体２５の剛性が高められている。円筒突起体２５の外径は、第一溝部２４ａの溝幅よりも少し大きい。そして、支持軸２３の軸心から円筒突起体２５の軸心までの距離Ｒは、支持軸２３の軸心から第一溝部２４ａの幅中心位置までの半径に等しい。このため、第四歯車２１が回動されたとき、その円筒突起体２５の軌跡は、第一溝部２４ａの幅中心位置に円弧状に形成される。
【００４６】
図２ないし図５に示されるように、アタッカー８には、通常の遊技状態で遊技台板７の開口１２を閉塞し、大当たり状態で遊技球Ｂを入賞可能に開かせる開閉扉１１を備えている。本実施例の開閉扉１１は、箱状である。即ち、開閉扉１１の開状態における底壁部２６の周縁部には、手前壁部２７と左右の各壁部（アタッカー８の正面視における右壁部２８と左壁部２９）と奥壁部３０とが立設されていて、各壁部２６〜３０に囲まれた部分に、遊技球Ｂの入賞領域Ａが形成されている。底壁部２６は方形板状であり、遊技台板７の開口１２よりも少し小さい。底壁部２６の底面部２６ａは、開閉扉１１の閉状態で遊技台板７と面一状に配置され（図２参照）、開閉扉１１の開状態で開口１２よりも正面側に突出して配置される（図３参照）。手前壁部２７は、開閉扉１１の閉状態で開口１２の上部に配置され、開閉扉１１の開状態で開口１２よりも正面側に突出して配置される。同様に、奥壁部３０は、開閉扉１１の閉状態で開口１２の下部に配置され、開閉扉１１の開状態で開口１２よりも奥側に引っ込んで配置される。奥壁部３０は、入賞領域Ａに入賞された遊技球Ｂが容易に排出されるように、左右の各壁部２８，２９に対して傾斜状態で設けられていると共に、その幅方向の中央部は切除されていてゲート３０ａが設けられている。大当たり状態で開閉扉１１が開かれると、開口１２を介して遊技球Ｂが入賞領域Ａに入賞する。底壁部２６を転動した遊技球Ｂは、奥壁部３０のゲート３０ａを通り、ゲート３０ａの直後方に配置される球流下部３１に流下される。そして、球流下部３１に取り付けられた通過型センサ３２を通過することによってカウントされる。なお、図４においては、球流下部３１を支持するブラケットの図示を省略している。
【００４７】
図２ないし図４に示されるように、開閉扉１１の左右の各壁部２８，２９には、高さ方向に所定間隔をおいて、それぞれ２個の円柱状の突起体（上側突起体３３と下側突起体３４）が、それらの軸線をパチンコ機１００の左右方向に沿わせて設けられている。上側突起体３３は、外径が第二溝部２４ｂの溝幅よりも少し小さく、第二溝部２４ｂに嵌入されている。また、下側突起体３４は、外径が各第四歯車２１に設けられた円筒突起体２５の内径よりも少し小さく、円筒突起体２５に嵌合されている。電動モータ１５のモータ軸１５ａが所定方向に回動されると、第一ないし第三の各歯車１６，１８，１９及び連結軸１７を介して第四歯車２１が回動される。これに伴い、第四歯車２１のアーム部２１ａに設けられた円筒突起体２５も回動される。このとき、開閉扉１１の下側突起体３４は第一溝部２４ａに案内されて、円弧状に移動される。同時に、開閉扉１１の上側突起体３３が、第二溝部２４ｂに案内されて直線状に移動される。この結果、開閉扉１１が下降し、開口１２と開閉扉１１の手前壁部２７との隙間が徐々に大きくなる（図７参照）。
【００４８】
ここで、開閉扉１１の閉状態で、第四歯車２１の支持軸２３の軸心と円筒突起体２５とを結ぶ直線Ｌ１は、ほぼ水平に配置される。第四歯車２１が最大に回動されたとき（即ち、開閉扉１１の全開状態）、開閉扉１１の下側突起体３４は、直線Ｌ１の延長線上よりも僅かに下方に配置される。図４において、そのときの下側突起体３４を二点鎖線で示す。換言すれば、直線Ｌ１と、第四歯車２１の最大回動状態におけるその軸心２３と開閉扉１１の下側突起体３４とを結ぶ直線Ｌ２とがなす角度（下側突起体３４の回動角度θ）は、１８０度（二直角）よりも僅かに小さい。この結果、第四歯車２１の最大回動状態で、開閉扉１１の底壁部２６は、水平よりも僅かに手前側が高くなった傾斜状態に配置される（図８参照）。これにより、入賞領域Ａに入賞した遊技球Ｂが転動し易くなると共に、第四歯車２１の最大回動状態で、開閉扉１１の上側突起体３３が思案点に配置される（即ち、直線Ｌ１，Ｌ２が一直線状になる）ことが回避され、開閉扉１１の開閉動作（特に、全開状態の開閉扉１１が閉じようとするときの動作）がスムーズに行われる。
【００４９】
そして、本実施例のアタッカー８では、第四歯車２１の最大回動状態（開閉扉１１の全開状態）で、開閉扉１１の上側突起体３３は、第四歯車２１の円筒突起体２５の初期位置（開閉扉１１の閉状態における円筒突起体２５の位置）に配置される。ここで、開閉扉１１の上側突起体３３の外径は、第一溝部２４ａの溝幅よりも大きい。このため、第四歯車２１の最大回動状態で、開閉扉１１の上側突起体３３が、第一溝部２４ａに侵入することはない。換言すれば、第一溝部２４ａが、開閉扉１１の上側突起体３３のメカニカルストッパの機能を果たしている。同様に、第一溝部２４ａの奥側の端部も閉塞されていて、開閉扉１１の下側突起体３４を、所定の回動角度θ以上に移動させることの防止が図られている。
【００５０】
図２、図３及び図５に示されるように、他方側（アタッカー８の背面視における左側、即ち、図５の図面視における左側）の第四歯車２１の外側面には、半円筒形状の延出部３５が張出し状態で固着されている。また、遊技台板７の背面部には、枠部１３の他方側の側壁部２２と隣接するセンサブラケット（図示せず）が取り付けられていて、このセンサブラケットにフォトセンサ３６が固着されている。第四歯車２１の延出部３５は、対向配置されたフォトセンサ３６の発光部と受光部との間に挿入配置されている。延出部３５の両端部には、フォトセンサ３６の発光部から照射される光ビームが通過可能な各スリット３５ａが設けられている。第四歯車２１が回動されるのに伴い、延出部３５も同方向に回動される。延出部３５の各スリット３５ａ以外の部分が、フォトセンサ３６の発光部と受光部との間に配置されているとき、フォトセンサ３６の光ビームが遮断される。この状態で、電動モータ１５が作動が継続される。延出部３５の各スリット３５ａの部分が、フォトセンサ３６の発光部と受光部との間に配置されると、フォトセンサ３６の光ビームがスリット３５ａを通過する。この状態で、電動モータ１５の作動が停止される。このように、フォトセンサ３６により、電動モータ１５の作動（オン／オフ）が制御される。
【００５１】
上記したフォトセンサ３６の作動を、電動モータ１５の作動と関連付けることができる。例えば、電動モータ１５が作動することによって開閉扉１１が開かれたときにのみ、フォトセンサ３６が正常であると判断し、それ以外の場合（例えば、異物が引っ掛けられて開閉扉１１が開かれた場合）には不正行為であるとみなして、図示しない報知手段を作動させる。これにより、何らかの手段により、開閉扉１１が不正に開かれた場合であっても不正行為が報知されるため、不正行為の防止が図られる。
【００５２】
本実施例のアタッカー８の作用について、図２、図３及び図６ないし図８を参照しながら、開閉扉１１が閉状態から開状態に至るまでを説明する。なお、図６ないし図８においては、第四歯車２１の図示を一部省略してある。図２及び図６の（ａ）に示されるように、通常の遊技状態（開閉扉１１の閉状態）で、開閉扉１１は、底壁部２６の底面部２６ａを手前側（遊技者側）に向けて配置させている。底壁部２６は、遊技台板７に設けられた開口１２よりも少し小さいため、開閉扉１１の手前壁部２７と左右の各壁部２８，２９は、枠部１３の内面に近接配置される。これにより、遊技台板７の開口１２のほぼ全域が閉塞される。開閉扉１１の手前壁部２７及び左右の各壁部２８，２９と開口１２との隙間は狭いため、この隙間に異物を挿入させることが困難になり、不正行為が防止される。しかも、開閉扉１１の底壁部２６の底面部２６ａは、遊技台板７の表面と面一状に配置されていて、遊技台板７より張り出している部分が存しない。このため、開閉扉１１に異物を引っ掛けることが困難になり、更に効果的に不正行為が防止される。また、閉状態の手前側壁部２７、左右の各壁部２８，２９及び奥壁部３０の先端部は、遊技台板７の開口１２と枠部１３の奥側の内側面１３ａとの間に配置され、第二溝部２４ｂが枠部１３に覆われている。
【００５３】
大当たり状態になると、図示しない制御手段により電動モータ１５が作動される。図６の（ａ）に示されるように、矢印３７の方向にモータ軸１５ａが回動され、それに伴って第一歯車１６が同方向に回動される。そして、第二歯車１８（図５参照）、連結軸１７及び第三歯車１９を介して一対の第四歯車２１が矢印３８の方向に回動される。このとき、開閉扉１１の一対の側壁部２２に設けられ、第二溝部２４ｂの下端部に配置されていた各下側突起体３４は、第四歯車２１の円筒突起体２５と共に下方に移動して、第一溝部２４ａに入り込む。第二溝部２４ｂの下端部が円弧状になっていて、その円弧の一部と第二溝部２４ａの手前側の端部とが接線状に接続されているため、各下側突起体３４は、第二溝部２４ｂにスムーズに入り込む。ここで、開閉扉１１の各下側突起体３４は、幅広で、かつ直線状に形成された第二溝部２４ｂから第一溝部２４ａに入り込むため、その初期段階において開閉扉１１は、擬似直線的に移動される。この結果、図６の（ｂ）に示されるように、第四歯車２１の回動初期段階において、開閉扉１１は、あたかも直線的に下降される。
【００５４】
図７の（ｃ）に示されるように、第四歯車２１が更に回動されると、開閉扉１１の各下側突起体３４は、第一溝部２４ａに案内されて円弧状の軌跡を描きながら移動されるようになる。開閉扉１１の上下の各突起体３３，３４の間隔は常に一定であり、かつ開閉扉１１の上側突起体３３は、第二溝部２４ｂに案内されて直線的に移動されるため、開閉扉１１は徐々に傾斜しながら、遊技台板７の背面側に入り込む。図７の（ｄ）に示されるように、開閉扉１１が一定以上に傾斜されると、遊技台板７の開口１２と開閉扉１１の手前壁部２７との隙間が大きくなり、遊技球Ｂが入賞可能となる。
【００５５】
開閉扉１１の各下側突起体３４が、第一溝部２４ａを円弧移動されるときの速度変化について説明する。各下側突起体３４が、第一溝部２４ａに入り込んだ状態からその最下端部に配置されるまでの間（図７の（ｃ）の状態）、各下側突起体３４の高さ方向下向きの速度成分Ｖ１は次第に小さくなり、同じく水平方向の速度成分Ｖ２は次第に大きくなる。そして、各下側突起体３４が、第一溝部２４ａの最下端部からその終端部に配置されるまでの間（図７の（ｄ）の状態）、各下側突起体３４の高さ方向上向きの速度成分Ｖ１は次第に大きくなり、同じく水平方向の速度成分Ｖ２は次第に小さくなる。これにより、開閉扉１１の変位速度に変化が生じ、開閉扉１１が急激に変位したり、緩やかに変位したりして、遊技者に視覚的な興趣をもたらす。また、開状態の開閉扉１１が閉じる方向に変位する（第四歯車２１が矢印３８と逆方向に回動される）とき、開閉扉１１を迅速に閉じさせることができるため、規定数以上の遊技球Ｂが入賞しにくくなり、遊技店における球管理を容易かつ確実なものにさせると共に、遊技球Ｂとの球噛みが発生しににくなる。
【００５６】
図８に示されるように、第四歯車２１の最大回動状態で、開閉扉１１の底壁部２６は、水平よりも僅かに手前側が高くなった傾斜状態に配置される。フォトセンサ３６の発光部と受光部との間に延出部３５のスリット３５ａが配置され、発光部から照射された光ビームが受光部に受光される。これにより、電動モータ１５のモータ軸１５ａの回動が停止される。この状態で、遊技台板７の開口１２は最大に開かれていて、開閉扉１１の入賞領域Ａに遊技球Ｂが容易に入賞可能となる。開閉扉１１が箱状になっているため、入賞した遊技球Ｂの球こぼれが防止される。入賞領域Ａに入賞した遊技球Ｂは、開閉扉１１の底壁部２６を転動して、奥壁部３０のゲート３０ａを通り、球流下部３１に流下する。そして、通過型センサ３２を通ることによってカウントされる。
【００５７】
規定数の遊技球Ｂがカウントされると、通過型センサ３２からの指令により、電動モータ１５のモータ軸１５ａが上記と反対の方向に回動される。そして、上記と逆の作用により、開閉扉１１が閉じられる。
【実施例２】
【００５８】
次に、別の実施例のアタッカー８について説明する。この実施例では、図９の（ａ）に示されるように、遊技台板７の下端部の手前側の部分に、枠部１３の内面よりも下方に延設される延設部３９が設けられている。そして、開閉扉１１の上端部が、遊技台板７の延設部３９に対応して切除されていて、この切除部分に切欠部４１が設けられている。開閉扉１１の閉状態で、遊技台板７の延設部３９が、開閉扉１１の切欠部４１に入り込んでいて、正面視において延設部３９と切欠部４１とが重なり合っている。このため、開閉扉１１と開口１２との隙間に異物を挿入しようとしても、切欠部４１によって阻止される。このため、一層確実に、不正行為の防止が図られる。なお、図９の（ｂ），（ｃ）に示されるように、開閉扉１１は、いったん直線的に下降された後、傾斜状態に配置されるため、遊技台板７の下端部に設けられた延設部３９が、開閉扉１１の動作に支障をきたすおそれはない。
【００５９】
従来のアタッカー（可変入賞装置）は、開口を閉塞している薄板の扉体が、手前側に回動する形態である。このため、扉体と開口との隙間から挿入した異物を扉体に引っ掛けて、扉体を強制的に開かせるという不正行為が行われるおそれがある。しかし、本実施例のアタッカー８では、以下の理由により不正行為の防止が図られている。（１）開閉扉１１が箱状となっていて、所定の高さを有する手前壁部２７と左右の各壁部２８，２９とが設けられている。このため、開口から各壁部２７〜２９の先端部までの距離が長くなり、開閉扉１１の周縁部と開口１２との隙間に異物を挿入して、手前壁部２７又は左右の各壁部２８，２９に異物を引っ掛ける操作がより困難になっている。（２）もし、異物が引っ掛けられたとしても、本実施例の開閉扉１１は、高さ方向に沿って直線的に少し下降した後で傾斜するという、２段階の移動を経由することによって開かれる。開閉扉１１を開かせるためには、引っ掛けた異物を手前側に引っ張るだけでは困難であり、下側に引っ張らなければならない。そして、異物を下側に引っ張ることは、極めて困難である。（３）更に、電動モータ１５のモータ軸１５ａの始動トルクに抗して、開閉扉１１を引っ張らなければならない。（４）何らかの手段により、開閉扉１１が不正に開かれた場合であっても、そのときの延出部３５の回動がフォトセンサ３６によって検知される。このときの回動は、電動モータ１５からの指令によらない回動であるため、不正回動であるとみなされて、不正行為が報知される。
【００６０】
また、本実施例のアタッカー８は、上記した不正防止効果だけでなく、以下の作用効果も奏される。（１）開閉扉１１は、直線移動と円弧移動の２段階の移動を経由して開閉される。しかも、この２つの運動は連続している。これにより、遊技者に視覚的な興趣がもたらされる。（２）上記した複雑な移動を実現させるための機構は、１個の電動モータと全部で６個の歯車１６，１８，１９，２１を組み合わせたものである。このため、アタッカー８の駆動機構１１０が小型コンバクトで、かつ簡素なものになり、安価に製作することができる。（３）第一及び第二の各溝部２４ａ，２４ｂが連続して、かつ接線状に接続されているため、開閉扉１１の下側突起体３４が各溝部２４ａ，２４ｂに出入りする動作をスムーズなものとすることができる。これにより、開閉扉１１の動作がスムーズになる。（４）全開状態の開閉扉１１は、その手前側が水平よりも少し高くなった傾斜状態に配置されると共に、開閉扉１１の下側突起体３４の回動角度θが二直角よりも小さい。このため、入賞領域Ａに入賞した遊技球Ｂの排出が容易になると共に、アーム部２１ａが思案点に配置されることが防止され、開閉扉１１が閉じるときの動作がスムーズになる。（５）開閉扉１１が箱状に形成されているため、その剛性が高く、複数個の遊技球Ｂが収容されてもこじれのない、スムーズな変位が行われる。そして、電動モータ１５の負荷も小さくなる。更に、入賞する遊技球Ｂの球噛み・球こぼれも防止される。
【００６１】
本実施例のアタッカー８において、開閉扉１１を開閉させるためのアクチュエータは、電動モータ１５である。しかし、電動モータ１５以外のアクチュエータ（例えば、ソレノイド、エアシリンダ等）であってもよい。
【００６２】
本実施例のアタッカー８において、駆動機構１１０は、第一ないし第四の各歯車１６，１８，１９，２１による歯車伝動機構である。これにより、電動モータ１５の駆動力が確実に伝達されると共に、駆動機構１１０が簡単なものとなり、アタッカー８の全体の大きさもコンパクトなものとなる。しかし、歯車伝動機構以外の手段（例えば、ベルト、チェーン、ワイヤ、ロープ等による巻き掛け伝動機構や、摩擦車による接触伝動機構）であってもよい。
【図面の簡単な説明】
【００６３】
【図１】本実施例のパチンコ機１００の正面図である。
【図２】開閉扉１１の閉状態におけるアタッカー８の斜視図である。
【図３】同じく開状態におけるアタッカー８の斜視図である。
【図４】図３の状態のアタッカー８の側面図である。
【図５】同じく背面図である。
【図６】（ａ），（ｂ）は、開閉扉１１が直線的に下降される状態の作用説明図である。
【図７】（ｃ），（ｄ）は、開閉扉１１が閉状態から開状態に至る途中の状態を示す作用説明図である。
【図８】開閉扉１１の全開状態を示す作用説明図である。
【図９】（ａ）は、別の実施例の開閉扉１１の要部の拡大断面図であり、（ｂ），（ｃ）は、その作用説明図である。
【符号の説明】
【００６４】
１００：パチンコ機（遊技機）
１：遊技盤
３：遊技領域
７：遊技台板（枠体）
８：アタッカー（可変入賞装置）
１１：開閉扉（移動体）
１２：開口（入賞口）
１３：枠部（枠体）
１３ａ：内側面
１５：電動モータ（移動体アクチュエータ）
２２：側壁部（案内体）
２４ａ：第一溝部（第一案内部）
２４ｂ：第二溝部（第二案内部）
２６：底壁部（閉鎖部）
２６ａ：底面部（閉鎖部の外表面）
２７：手前壁部（壁部）
２８：右壁部（壁部）
２９：左壁部（壁部）
３０：奥壁部（壁部）
３３：上側突起体（第二移動部）
３４：下側突起体（第一移動部）
３６：フォトセンサ（回転停止位置検出手段）
Ｂ：遊技球
【図１】
2008142226.tif 000003
【図２】
2008142226.tif 000004
【図３】
2008142226.tif 000005
【図４】
2008142226.tif 000006
【図５】
2008142226.tif 000007
【図６】
2008142226.tif 000008
【図７】
2008142226.tif 000009
【図８】
2008142226.tif 000010
【図９】
2008142226.tif 000011